(57)【特許請求の範囲】
【請求項１】
鍵がそれぞれ吊下げられた複数の鍵ホルダが、それぞれ挿入される複数のホルダ収納部と、
各ホルダ収納部に挿入された前記鍵ホルダをそれぞれ解除自在に抜止め状態にロックするホルダロック部と、
各ホルダ収納部にそれぞれ挿入された鍵ホルダに吊下げられた前記鍵が収容される収容空間部を開閉自在とすると共に、各鍵を取出し不能に前記収容空間部を閉鎖する閉姿勢で解除自在に扉ロック部によりロックされる扉体と、
前記各ホルダロック部や前記扉ロック部のロックを解除する認証部とを備え、
前記扉体の前記閉姿勢で、前記挿入された各鍵ホルダを外部から視認可能な開口部が、扉体に設けられていることを特徴とする鍵管理装置。
【請求項２】
請求項１に記載の鍵管理装置において、
前記認証部による認証により、前記扉ロック部による前記扉体に対するロックが解除されると共に、前記認証部によって認証された情報に対応する前記ホルダ収納部の前記ホルダロック部がロック解除され、前記扉体の閉操作による前記閉姿勢で扉体が扉ロック部によりロックされることを特徴とする鍵管理装置。
【請求項３】
請求項１または請求項２に記載の鍵管理装置において、
前記各鍵ホルダは、前記各ホルダ収納部に対する挿入により前記各ホルダロック部でそれぞれロックされることを特徴とする鍵管理装置。
【発明の詳細な説明】
【技術分野】
【０００１】
本発明は、例えば、賃貸車両やホテル等の鍵の管理を行うための鍵管理装置に関するものである。
【背景技術】
【０００２】
従来、この種の鍵管理装置として、例えば、特許文献１や特許文献２に開示のような装置があり、このような装置によれば、筐体状に形成された装置本体の前面に、鍵がそれぞれ吊下げられた鍵ホルダを収容するための収容空間部を備え、下部で回動自在に取付けた扉体により、収容空間部が開閉自在とされるように構成されている。
【０００３】
また、その収容空間部の上部には、左右方向に複数のホルダ収納部が備えられ、各鍵ホルダが対応する各ホルダ収納部に挿入可能に構成されている。この際、各鍵ホルダにそれぞれ吊下げられた鍵は、ホルダ収納部の下方の収容空間部内に位置して配置されるように構成されている。
【０００４】
装置本体前面における扉体の一側には、認証部としてのカードリーダのカード挿入部や操作キー等が設けられ、カードリーダで読み取られたカード情報や操作キーによる入力情報等に応じて、扉体のロックや各ホルダ収納部に挿入された鍵ホルダのロックが適宜、解除されるように制御されていた。
【０００５】
【特許文献１】特開平５−１５６８４５号公報
【特許文献２】特開平７−１８９２９号公報
【発明の開示】
【発明が解決しようとする課題】
【０００６】
しかしながら、上記各特許文献に開示の構造によれば、収容空間部を閉鎖する扉体によって鍵ホルダや鍵を覆い隠す構造であるため、扉体を閉じた状態では、鍵の貸し出し状況や返却状況が確認し難く、各鍵の有無の確認を行う場合には、扉体のロックを一旦解除して、扉体を開放して確認する必要があり、手間がかかり、面倒であった。
【０００７】
そこで、本発明はこれらの問題点に鑑み、扉体を閉じた状態でも、各鍵の有無が確認可能な鍵管理装置を提供することを目的とする。
【課題を解決するための手段】
【０００８】
上記課題を解決するための技術的手段は、鍵がそれぞれ吊下げられた複数の鍵ホルダが、それぞれ挿入される複数のホルダ収納部と、各ホルダ収納部に挿入された前記鍵ホルダをそれぞれ解除自在に抜止め状態にロックするホルダロック部と、各ホルダ収納部にそれぞれ挿入された鍵ホルダに吊下げられた前記鍵が収容される収容空間部を開閉自在とすると共に、各鍵を取出し不能に前記収容空間部を閉鎖する閉姿勢で解除自在に扉ロック部によりロックされる扉体と、前記各ホルダロック部や前記扉ロック部のロックを解除する認証部とを備え、前記扉体の前記閉姿勢で、前記挿入された各鍵ホルダを外部から視認可能な開口部が、扉体に設けられている点にある。
【０００９】
また、前記認証部による認証により、前記扉ロック部による前記扉体に対するロックが解除されると共に、前記認証部によって認証された情報に対応する前記ホルダ収納部の前記ホルダロック部がロック解除され、前記扉体の閉操作による前記閉姿勢で扉体が扉ロック部によりロックされる構造としてもよい。
【００１０】
さらに、前記各鍵ホルダは、前記各ホルダ収納部に対する挿入により前記各ホルダロック部でそれぞれロックされる構造としてもよい。
【発明の効果】
【００１１】
以上のように、本発明の鍵管理装置によれば、扉体の閉姿勢で、挿入された各鍵ホルダを外部から視認可能な開口部が、扉体に設けられているため、扉体を閉じた状態でも、各鍵ホルダの有無が確認でき、これら各鍵ホルダの有無の確認を通じて、各鍵ホルダに吊下げられている各鍵の有無の確認が行え、使い勝手に優れる利点がある。この際、各鍵ホルダに吊下げられた各鍵は収容されている収容空間部がロックされた扉体により取出し不能に閉鎖されているため、セキュリティー面でも良好である。
【００１２】
また、認証部による認証により、扉ロック部による扉体に対するロックが解除されると共に、認証部によって認証された情報に対応するホルダ収納部のホルダロック部がロック解除され、扉体の閉操作による閉姿勢で扉体が扉ロック部によりロックされる構造とすれば、目的とする鍵の取出しに際しては、認証部での認証によって、扉体と対応するホルダ収納部のロックがそれぞれ解除されるため、目的とする鍵を鍵ホルダと共に取出すことができ、その後、扉体を閉姿勢に戻せば、扉体が扉ロック部により自動的にロックされるため、別途、ロックのための操作が不要となり、この点からも使い勝手に優れる利点がある。
【００１３】
さらに、各鍵ホルダは、各ホルダ収納部に対する挿入により各ホルダロック部でそれぞれロックされる構造とすれば、別途、ロックのための操作が不要となり、この点からも使い勝手に優れる利点がある。
【発明を実施するための最良の形態】
【００１４】
以下、本発明の実施形態を図面に基づいて説明すると、図１ないし図５に示されるように、鍵管理装置１は、筐体状に形成された装置本体２を備え、装置本体２における前面側の高さ方向中間部および下部には、下端部で回動自在に取付けられた扉体３がそれぞれ備えられている。
【００１５】
即ち、図１や図３に示されるように、各扉体３の裏面側における下端部両側に、扉体３を装置本体２にそれぞれ回動自在に支持するための回動支持部４が備えられている。そして、各回動支持部４にそれぞれ組み付けられたコイルバネ等からなる扉開付勢バネ５により、扉体３を常時、開方向に弾発付勢する構造とされている。
【００１６】
また、図３に示されるように、各扉体３の一側部には、係止孔６ａを有する係止部６が設けられており、対応する装置本体２側には、扉体３の閉姿勢で、係止部６の係止孔６ａに係脱自在に係止する係止爪７ａが備えられた扉体３ロック用のソレノイド装置７が設けられている。
【００１７】
そして、ソレノイド装置７が励磁されると係止爪７ａが離脱方向に引き込まれて、係止部６の係止孔６ａとの係止状態が解除される。この係止状態の解除により、両側の回動支持部４における各扉開付勢バネ５の付勢力により、図４の仮想線で示されるように、扉体３が開姿勢に回動操作されるように構成されている。また、ソレノイド装置７は励磁による係止爪７ａの引込操作後、一定時間が経過すると消磁されて、ソレノイド装置７に備えられたコイルバネ７ｂの付勢力により係止爪７ａは初期位置に戻される。
【００１８】
次に、この扉体３の開姿勢より扉体３を閉じる場合には、扉体３を閉方向に漸次回動操作していけばよい。この扉体３の閉操作において、係止部６が摺動自在に当接する係止爪７ａの端面７ｃは、先端方向に向けて漸次薄肉となる傾斜面状に形成されている。
【００１９】
そのため、係止爪７ａの端面７ｃに係止部６が当接した状態で、さらに扉体３を閉操作していけば、端面７ｃと係止部６との相対摺動により、コイルバネ７ｂの付勢力に抗して、係止爪７ａが前記引き込まれる方向に漸次退避されていき、扉体３が閉姿勢となった段階で、係止爪７ａと係止部６における係止孔６ａの位置が合致し、コイルバネ７ｂに蓄勢された付勢力により係止爪７ａが初期位置に戻されて、係止爪７ａと係止部６とが係止されたロック状態が得られるように構成されている。ここに、これら係止部６やソレノイド装置７により、扉体３を閉姿勢で解除自在にロックする扉ロック部８が構成される。
【００２０】
図１に示されるように、各扉体３の上縁部部分に対応した装置本体２側には、図５に示されるような鍵１０がワイヤ１１等により吊下げられた鍵ホルダ１２が挿入されるホルダ収納部１４が、横方向に複数並設されている。
【００２１】
前記各鍵ホルダ１２は、扁平なブロック状に形成された本体部１２ａと、ワイヤ１１が挿通状とされるワイヤ挿通部１２ｂと、正面側の扁平状とされた表示部１２ｃとをそれぞれ備えている。そして、各鍵ホルダ１２の本体部１２ａは、形状や構造の相違による適宜備えられた識別手段により、所定の対応するホルダ収納部１４のみに所定位置まで挿入可能に構成され、正面側に位置する表示部１２ｃには、吊下げられた鍵１０に関連する情報等が表示されている。
【００２２】
各ホルダ収納部１４は、図６や図７に示されるように、対応する鍵ホルダ１２が所定位置まで挿入可能なように、鍵ホルダ１２の識別手段に対応する構造の挿入孔１４ａをそれぞれ備えている。そして、これら各挿入孔１４ａの途中には、挿入された鍵ホルダ１２を位置決め状に保持するホルダ保持部１５と、鍵ホルダ１２の挿入・非挿入を検出するホルダ検知器１６と、挿入された鍵ホルダ１２を解除自在に抜止め状態にロックするホルダロック部１７とを備えている。
【００２３】
前記ホルダ保持部１５は、図６に示されるように、挿入孔１４ａの下面側より出没自在に突出状とされる球状の保持ボール１５ａと、保持ボール１５ａを突出方向に弾発付勢するコイルバネ等からなる付勢バネ１５ｂとを備え、付勢バネ１５ｂの付勢力により挿入孔１４ａ内に保持ボール１５ａの一部が突出するように付勢している。そして、鍵ホルダ１２の本体部１２ａが挿入される際には、本体部１２ａによって保持ボール１５ａは付勢バネ１５ｂの付勢力に抗して挿入孔１４ａ内より下方に押し込み退避され、本体部１２ａが所定位置まで挿入されると、本体部１２ａの下面に形成された位置決め凹部１２ｄと保持ボール１５ａとの配置位置が合致して、保持ボール１５ａが付勢バネ１５ｂによる付勢力により突出状態に復帰され、位置決め凹部１２ｄに保持ボール１５ａが嵌入されて、保持されるように構成されている。
【００２４】
前記ホルダ検知器１６は、マイクロスイッチ等からなり、図６に示されるように、挿入孔１４ａの奥部位置に挿入孔１４ａ内に突出する検知レバー１６ａを備え、挿入孔１４ａ内に鍵ホルダ１２の本体部１２ａが挿入される際に、図７に示されるように、検知レバー１６ａが本体部１２ａによって挿入孔１４ａ内から退避する方向に揺動操作されることにより、対応する鍵ホルダ１２が挿入されたことを検知する構成とされている。
【００２５】
前記ホルダロック部１７は、鍵ホルダ１２ロック用のソレノイド装置１７ａと、ソレノイド装置１７ａの励磁・消磁により支軸１９回りに揺動操作自在に支持された揺動レバー１７ｂと、揺動レバー１７ｂの一方側端部に備えられた連動支持ピン部１７ｃに相対摺動自在に連結され、該揺動レバー１７ｂの前記揺動操作により、挿入孔１４ａ内にその上方側から出没操作自在とされるロック爪１７ｄとを備えている。
【００２６】
また、ロック爪１７ｄを昇降ガイドするガイド筒部１８が、ホルダ収納部１４の上面部に配置され、ガイド筒部１８の側面に形成されたガイド溝１８ａを通じて、前記揺動レバー１７ｂの連動支持ピン部１７ｃがロック爪１７ｄの係合孔に相対摺動自在に連結されている。
【００２７】
そして、ソレノイド装置１７ａが励磁されると、コイルバネ１７ｅの付勢力に抗して揺動レバー１７ｂの他方側端部が引き下ろされ、前記連動支持ピン部１７ｃを備えた一方側端部が上昇して、ロック爪１７ｄが上方に移動操作され、挿入孔１４ａ内より退避する。また、ソレノイド装置１７ａが消磁されると、コイルバネ１７ｅに蓄勢された付勢力により揺動レバー１７ｂの前記他方側端部が押し上げられ、連動支持ピン部１７ｃを備えた一方側端部が下降して、ロック爪１７ｄが下方に移動操作され、挿入孔１４ａ内に突出するように構成されている。
【００２８】
この挿入孔１４ａ内に突出するロック爪１７ｄの端面１７ｆは、下方向に向けて、鍵ホルダ１２が挿入される挿入方向手前側から奥側に漸次傾斜する傾斜面状に形成されている。そのため、ホルダ収納部１４に対する鍵ホルダ１２の挿入時に、本体部１２ａの挿入端が端面１７ｆに当接し、その当接状態でさらに挿入していけば、本体部１２ａと端面１７ｆとの相対摺動により、コイルバネ１７ｅの付勢力に抗して、ロック爪１７ｄが上方に押し上げられ、挿入孔１４ａ内から漸次退避されていく。そして、本体部１２ａが挿入されて所定位置に到着した状態で、本体部１２ａの上面に形成されたロック凹部１２ｅとロック爪１７ｄとの配置位置が合致し、ロック爪１７ｄがコイルバネ１７ｅに蓄勢された付勢力により突出状態に復帰される。この突出状態の復帰により、ロック凹部１２ｅにロック爪１７ｄが嵌入されて、抜止め状態にロックするように構成されている。
【００２９】
また、横方向に並設された各ホルダ収納部１４の下方位置には、各ホルダ収納部１４に挿入された鍵ホルダ１２に吊下げられた各鍵１０が収容される収容空間部２０が備えられており、前記扉体３の開閉操作によりこの収容空間部２０の正面側が開閉自在に閉鎖されるように構成されている。
【００３０】
さらに、図１に示されるように、各扉体３の上縁部には、扉体３の閉姿勢で、各ホルダ収納部１４に挿入された各鍵ホルダ１２を外部、即ち、正面側から視認可能とすべく、横方向に細長い切欠状の開口部３ａが設けられており、各扉体３により収容空間部２０を閉鎖したロック状態では、各鍵ホルダ１２に吊下げられた各鍵１０が扉体３で取出し不能に覆われる構造とされている。
【００３１】
装置本体２の前面上部の一側には、タッチ操作によりカードの情報を読み取ることが可能とされたカードリーダ部２２が配置されている。このカードリーダ部２２で読み取られるカードは磁気カード、ＩＣカード等からなり、使用者用カードや管理者用カード等の複数種が適宜準備されている。
【００３２】
そして、図８に示されるように、カードリーダ部２２で読み取られた情報に基づき、鍵管理装置１を管理する制御部２３は、対応する扉ロック部８や対応するホルダロック部１７のロックを解除するように制御する。
【００３３】
例えば、鍵１０の貸し出しに際してカードリーダ部２２により使用者用カードの情報を読み取った場合には、その情報に対応するホルダ収納部１４におけるホルダロック部１７のロックを解除すると共に、そのホルダ収納部１４に対応する扉体３の扉ロック部８のロックを解除する。これにより、扉体３は扉開付勢バネ５の付勢力により開操作されて開姿勢となり、目的とする鍵１０が吊下げられた鍵ホルダ１２がホルダ収納部１４から離脱可能となる。
【００３４】
そして、ホルダ収納部１４から鍵ホルダ１２を取り出せば、ホルダ検知器１６による鍵ホルダ１２の検知が非検知となり、ここに、ソレノイド装置１７ａが消磁されて、ロック爪１７ｄが初期位置に戻される。また、扉体３を閉操作して収容空間部２０を閉鎖した閉姿勢とすれば、係止部６と係止爪７ａとの係止状態が得られ、扉体３が扉ロック部８によりロックされ、適宜備えられた検知器により、扉体３の閉鎖が制御部２３で検知され、これら情報が管理される。
【００３５】
また、鍵１０の返却に際してカードリーダ部２２により使用者用カードの情報を読み取った場合には、その情報に対応するホルダ収納部１４に対応する扉体３の扉ロック部８のロックを解除する。これにより、扉体３は扉開付勢バネ５の付勢力により開操作されて開姿勢となり、目的とするホルダ収納部１４に対して鍵１０の返却が可能となる。
【００３６】
そして、ホルダ収納部１４に対して鍵ホルダ１２を挿入していけば、所定位置でホルダロック部１７のロック爪１７ｄと本体部１２ａのロック凹部１２ｅとが自動的に係合したロック状態が得られ、ホルダ検知器１６により鍵ホルダ１２が検知される。その後、扉体３を閉操作して収容空間部２０を閉鎖した閉姿勢とすれば、係止部６と係止爪７ａとの係止状態が得られ、扉体３が扉ロック部８によりロックされ、適宜備えられた検知器により、扉体３の閉鎖が制御部２３で検知され、これら情報が管理される。
【００３７】
これに対し、カードリーダ部２２により管理者用カードの情報を読み取った場合には、全てのホルダ収納部１４におけるホルダロック部１７のロックを解除すると共に、全ての扉体３の扉ロック部８のロックを解除する。これにより、各扉体３は扉開付勢バネ５の付勢力により開操作されて開姿勢となり、鍵１０が吊下げられた全ての鍵ホルダ１２がホルダ収納部１４から離脱可能となる。そして、各鍵１０や各鍵ホルダ１２のチェック後、扉体３を閉操作して収容空間部２０を閉鎖した閉姿勢とすれば、係止部６と係止爪７ａとの係止状態が得られ、扉体３が扉ロック部８によりロックされ、適宜備えられた検知器により、扉体３の閉鎖が制御部２３で検知され、これら情報が管理される。
【００３８】
また、図２に示されるように、装置本体２の前面上部に一側部で枢支され上部扉２５が備えられ、上面に備えられた鍵穴２６からの鍵操作によりロック解除自在とされ、上部扉２５の開姿勢で制御部２３のメンテナンス等が行えるように構成されている。
【００３９】
さらに、図２や図４に仮想線で示されるように、壁面等に取り付け自在とされる取付ブラケット２７を介して装置本体２が所望位置に取り付け可能に構成されている。なお、壁面等に取り付ける取付ブラケット２７に代えて、傾斜状の載置台に載置状に取り付ける構造等であってもよい。
【００４０】
本実施形態は以上のように構成されており、鍵管理装置１における扉体３の閉姿勢においても、ホルダ収納部１４に挿入された各鍵ホルダ１２を外部から視認可能な開口部３ａが、扉体３に設けられているため、扉体３が閉鎖されたロック状態でも開口部３ａを通じて、各鍵ホルダ１２の有無が一見して容易に確認でき、ここに、これら各鍵ホルダ１２の有無の確認を通じて、各鍵ホルダ１２に吊下げられている各鍵１０の有無の確認が行え、貸し出し状況や返却状況が容易に把握でき、使い勝手に優れる利点がある。
【００４１】
この際、各鍵ホルダ１２に吊下げられた各鍵１０は収容されている収容空間部２０がロックされた扉体３により取出し不能に閉鎖されているため、セキュリティー面でも良好である。
【００４２】
また、目的とする鍵の取出しに際しては、カードリーダ部２２でのカード情報の読み取りによる認証によって、扉体３と対応するホルダ収納部１４のロックがそれぞれ解除されるため、目的とする鍵１０を鍵ホルダ１２と共に取出すことができ、その後、扉体３を閉姿勢に戻せば、扉体３が扉ロック部８により自動的にロックされるため、別途、ロックのための操作が不要となり、この点からも使い勝手に優れる利点がある。
【００４３】
さらに、各鍵ホルダ１２は、各ホルダ収納部１４に対する挿入によりホルダロック部１７でロックされる構造であり、別途、ロックのための操作が不要となり、この点からも使い勝手に優れる利点がある。
【００４４】
また、ホルダ収納部１４に挿入された鍵ホルダ１２に対するホルダロック部１７のロック状態が解除されても、ホルダ保持部１５の保持ボール１５ａと位置決め凹部１２ｄとの係合により、鍵ホルダ１２はホルダ収納部１４に良好に保持される。
【００４５】
なお、上記実施形態においては、認証部としてカードリーダ部２２を用いた構造を示しているが、図１の仮想線で示されるように、装置本体２の正面上部にテンキー等の操作キー部２９を設け、暗証番号をキー入力すること等により認証する構造であってもよく、さらには、カードリーダ部２２と操作キー部２９との組み合わせにより認証する構造であってもよい。
【００４６】
また、認証部による鍵管理装置１の制御方式も、上記に開示された制御に何ら限定されず、必要に応じた制御方式を適宜採用すればよい。
【００４７】
さらに、扉体３が下端部で回動自在に支持された構造を示しているが、装置本体２の一側部で回動自在に支持される構造であってもよく、何ら実施形態の構造に限定されない。
【図面の簡単な説明】
【００４８】
【図１】本発明の実施形態にかかる鍵管理装置の正面図である。
【図２】図１の平面図である。
【図３】図１におけるIII−III線断面矢視拡大図である。
【図４】図１の側面図である。
【図５】鍵が吊下げられた鍵ホルダの斜視図である。
【図６】ホルダ収納部部分の断面説明図である。
【図７】ホルダ収納部部分の断面説明図である。
【図８】制御ブロック図である。
【符号の説明】
【００４９】
１  鍵管理装置
２  装置本体
３  扉体
３ａ  開口部
８  扉ロック部
１０  鍵
１２  鍵ホルダ
１４  ホルダ収納部
１７  ホルダロック部
２０  収容空間部
２２  カードリーダ部
【図１】
0004863964.tif 000002
【図２】
0004863964.tif 000003
【図３】
0004863964.tif 000004
【図４】
0004863964.tif 000005
【図５】
0004863964.tif 000006
【図６】
0004863964.tif 000007
【図７】
0004863964.tif 000008
【図８】
0004863964.tif 000009